(57)【要約】  【課題】使用者に不快感を与えない、又は使用者に与える不快感を軽減し、快適なマルチチャンネル表示を実現することのできるマルチチャンネル表示装置を提供すること。  【解決手段】受信チャンネルの通常の切替条件が成立すると、次の受信候補であるチャンネルへの切り替えを、テレビ放送受信機２に対して指示する通常切替手段を備え、一つの画面上に、複数のチャンネルの映像が表示されている場合に、受信チャンネルの順次切り替えを実現するマルチチャンネル表示装置１１において、受信チャンネルの信号の受信状態が不良である場合、次の受信候補であるチャンネルへの切り替えを、テレビ放送受信機２に対して指示する強制切替手段を装備する。  【選択図】  図１
2005341496.tif 000002
【特許請求の範囲】
【請求項１】
受信チャンネルの通常の切替条件が成立すると、次の受信候補であるチャンネルへの切
り替えを、テレビ放送受信機に対して指示する通常切替手段を備え、
一つの画面上に、複数のチャンネルの映像が表示されている場合に、受信チャンネルの
順次切り替えを実現するマルチチャンネル表示装置において、
受信チャンネルの信号の受信状態が不良である場合、次の受信候補であるチャンネルへ
の切り替えを、前記テレビ放送受信機に対して指示する強制切替手段を備えていることを
特徴とするマルチチャンネル表示装置。
【請求項２】
受信チャンネルの通常の切替条件が成立すると、次の受信候補であるチャンネルへの切
り替えを、テレビ放送受信機に対して指示する通常切替手段を備え、
一つの画面上に、複数のチャンネルの映像が表示されている場合に、受信チャンネルの
順次切り替えを実現するマルチチャンネル表示装置において、
受信状態が良好でないか否か、又は受信の不良状態が継続しているか否かを判断する受
信状態判断手段と、
該受信状態判断手段による判断結果に基づいて、受信状態が良好でない、又は受信の不
良状態が継続しているチャンネルを受信候補から外す候補除外手段とを備えていることを
特徴とするマルチチャンネル表示装置。
【請求項３】
受信状態が良好でないか否か、又は受信の不良状態が継続しているか否かを判断する受
信状態判断手段と、
該受信状態判断手段による判断結果に基づいて、受信状態が良好でない、又は受信の不
良状態が継続しているチャンネルを受信候補から外す候補除外手段とを備えていることを
特徴とする請求項１記載のマルチチャンネル表示装置。
【請求項４】
前記受信状態判断手段が、前記強制切替手段による受信の強制中止が所定の頻度以上発
生している場合、該当するチャンネルの受信状態が良好でない、又は受信の不良状態が継
続していると判断するものであることを特徴とする請求項３記載のマルチチャンネル表示
装置。
【請求項５】
前記候補除外手段により、受信状態が良好でない、又は受信の不良状態が継続している
チャンネルが受信候補から外された場合、受信候補から外されたチャンネルを受信する代
わりに、所定の処理を行う第１の処理手段と、
前記受信候補から外されたチャンネルの映像の代わりに、前記所定の処理を行うことに
よって得られる画像を前記画面上に表示する第１の代行表示手段とを備えていることを特
徴とする請求項２〜４のいずれかの項に記載のマルチチャンネル表示装置。
【請求項６】
前記所定の処理が、受信候補から外されたチャンネルの代わりに受信状態の良好な別の
チャンネルを受信する第１の処理、映像再生装置を再生する第２の処理、ラジオ放送を受
信する第３の処理、及び音声再生装置を再生する第４の処理のいずれかであることを特徴
とする請求項５記載のマルチチャンネル表示装置。
【請求項７】
前記所定の処理が、受信候補から外されたチャンネルの代わりに受信状態の良好な別の
チャンネルを受信する第１の処理、又は該第１の処理とは別の処理であり、
受信状態の良好な別のチャンネルが存在しない場合、
前記第１の処理手段が、前記所定の処理として、前記別の処理を行うものであることを
特徴とする請求項５記載のマルチチャンネル表示装置。
【請求項８】
前記別の処理が、映像再生装置を再生する第２の処理、ラジオ放送を受信する第３の処
理、及び音声再生装置を再生する第４の処理のいずれかであることを特徴とする請求項７
記載のマルチチャンネル表示装置。
【請求項９】
前記別の処理が行われている場合に、受信候補でないチャンネルのうち、受信状態の良
好なものが存在するか否かを判断する良好有無判断手段と、
該良好有無判断手段により受信状態の良好なチャンネルが存在すると判断された場合、
前記別の処理の代わりに、該当するチャンネルを受信する第２の処理手段とを備えている
ことを特徴とする請求項７又は請求項８記載のマルチチャンネル表示装置。
【請求項１０】
前記所定の処理の実行可否を判断する実行可否判断手段と、
該実行可否判断手段により前記所定の処理の実行ができないと判断された場合、前記受
信候補から外されたチャンネルの映像の代わりに、所定の画像を前記画面上に表示する第
２の代行表示手段とを備えていることを特徴とする請求項５〜９のいずれかの項に記載の
マルチチャンネル表示装置。
【発明の詳細な説明】
【技術分野】
【０００１】
本発明はマルチチャンネル表示装置に関し、より詳細には、一つの画面上に複数のチャ
ンネルの映像を表示するマルチチャンネル表示装置に関する。
【背景技術】
【０００２】
一つの画面上に複数のチャンネルの映像を表示するマルチチャンネル表示装置（例えば
、下記の特許文献１、２参照）は既に製品化されている。例えば、図１７に示したように
、一つのモニタＭ上のフレームＦ１〜Ｆ８それぞれに２ｃｈ、４ｃｈ、６ｃｈ、８ｃｈ、
１０ｃｈ、１２ｃｈ、１４ｃｈ、１６ｃｈの８チャンネル分の映像を表示することができ
るようになっている。また、そのうちの受信しているチャンネルの映像だけが動画となり
、残りの受信していないチャンネルの映像は静止画となり、そして受信するチャンネルは
所定の時間（例えば、２０秒）毎に順次切り替わっていくようになっている。
【０００３】
図１７（ａ）では、フレームＦ１に表示されている２ｃｈの映像だけが動画となり、図
１７（ｂ）では、フレームＦ２に表示されている４ｃｈの映像だけが動画となり、図１７
（ｃ）では、フレームＦ３に表示されている６ｃｈの映像だけが動画となっている。この
ように、受信するチャンネルが順次切り替わっていくにつれて、動画が表示されるチャン
ネルの映像も順次切り替わっていくようになっている。
【０００４】
図１８は、従来のマルチチャンネル表示装置の要部を概略的に示したブロック図である
。マルチチャンネル表示装置１はテレビ放送受信機２と、表示部４と、音声出力部５と、
マイコンを含んで構成される制御部７とを含んで構成されている。テレビ放送受信機２に
は受信アンテナ３が接続されており、受信アンテナ３で受信したテレビ放送局から送信さ
れた映像と音声の電波はテレビ放送受信機２に導かれるようになっている。
【０００５】
テレビ放送受信機２は、制御部７からのチャンネル制御に基づいて、いくつかのテレビ
電波の中から、受信しようとするチャンネルの電波を選択し、増幅、検波という過程を経
て、映像信号と音声信号とを取り出すようになっている。映像信号は表示部４へ送られ、
表示部３に設けられているモニタＭ（図示せず）に映像が表示されるようになっている。
また、音声信号は音声出力部５へ送られ、音声出力部５で増幅され、スピーカ６から音声
が出力されるようになっている。
【０００６】
制御部７は、所定の時間（例えば、２０秒）毎に動画を表示させる放送局を切り換える
ために、テレビ放送受信機２に対して、受信するチャンネルの切替制御を行い、また、制
御部７は、表示部４に対して、各放送局の映像をモニタＭ上のどの位置に表示するかを指
示するようになっている。
【０００７】
制御部７の行う処理動作を図１９に示したフローチャートに基づいて説明する。なお、
この処理動作は、制御部７に接続された操作部（図示せず）が使用者によって操作される
ことによって、マルチチャンネル表示が指示された場合に行われる動作である。
【０００８】
まず、カウントｎを１にし（ステップＳ１）、次に、予め設定されたＸｎに対応するチ
ャンネルを受信するように、テレビ放送受信機２に対して受信するチャンネルを指示する
（ステップＳ２）。図２０に、予め設定されたＸｎとチャンネルとの関係の一例を示した
図を示す。ここでは、Ｘ１に対応するチャンネルは２ｃｈとなり、Ｘ２に対応するチャン
ネルは４ｃｈとなっている。
【０００９】
次に、テレビ放送受信機２から表示部４へ送信される映像信号による映像を、例えば、
モニタＭ上のフレームＦ１〜Ｆ８（図１７参照）のうち、フレームＦｎに表示するように
表示部４に対して表示を制御し（ステップＳ３）、その後、表示時間を計測するためのタ
イマｔを０にしてスタートさせる（ステップＳ４）。
【００１０】
タイマｔが所定の時間ｔ’（例えば、２０秒）以上になったか否かを判断し（ステップ
Ｓ５）、タイマｔが所定の時間ｔ’以上になったと判断すれば、カウントｎに１を加算し
（ステップＳ６）、１を加算したカウントｎが８より大きいか否か（すなわち、Ｘ８に対
応する１６ｃｈまで一通り受信したか否か）を判断する（ステップＳ７）。
【００１１】
カウントｎが８より大きいと判断すれば、ステップＳ１へ戻って、カウントｎを１に戻
し、そしてステップＳ２以降の処理を行う。一方、カウントｎが８より大きくはないと判
断すれば、そのままステップＳ２以降の処理を行う。これにより、一つのモニタＭ上に８
チャンネル分の映像を表示することができ、また、動画を表示するチャンネルの映像を、
所定の時間毎に順次切り換えていくことができる。
【００１２】
ところで、マルチチャンネル表示を行っている場合、例えば、８チャンネル全ての電波
の受信状態が良好であれば特に問題はないが、８チャンネル全ての電波の受信状態が良好
であり続けるとは限らない。特に、マルチチャンネル表示装置が、車両などの移動体に搭
載されて使用されている場合には、受信状態に変動が生じ易く、低下することがある。受
信状態が低下すると、映像に乱れが生じたり、音声にノイズが混じる。また、受信状態が
著しく悪化すると、モニタＭにはノイズ画像しか表示されず、スピーカ６からはノイズ音
しか出力されないことになる。
【００１３】
例えば、４ｃｈの受信状態が著しく悪化しているときに、カウントｎが２となり、Ｘ２
に対応する４ｃｈを受信しようとすると、図２１に示したように、２０秒間、モニタＭ上
のフレームＦ２にはノイズ画像が表示され続けることになる。また、使用者はスピーカ６
から出力されるノイズ音を聞き続けなければならない。これは、使用者にとって不快であ
る。
【００１４】
また、カウントｎが３となり、Ｘ３に対応する６ｃｈを受信するようになったとしても
、フレームＦ２には静止画ではあるが、ノイズ画像が表示され続けることになる。また、
６ｃｈ、８ｃｈ、１０ｃｈ、１２ｃｈ、１４ｃｈ、１６ｃｈ、２ｃｈと一周して戻ってく
る間（例えば、１４０秒間＝２０秒間×７チャンネル）に、４ｃｈの受信状態が回復して
いなければ、また、２０秒間、ノイズ音声を聞き続けなければならない。これは、使用者
にとって非常に不快である。
【特許文献１】特開平１０−２６２１９４号公報
【特許文献２】特許第３１１５５７１号明細書
【発明の開示】
【課題を解決するための手段及びその効果】
【００１５】
本発明は上記課題に鑑みなされたものであって、使用者に不快感を与えない、又は使用
者に与える不快感を軽減し、快適なマルチチャンネル表示を実現することのできるマルチ
チャンネル表示装置を提供することを目的としている。
【００１６】
上記目的を達成するために本発明に係るマルチチャンネル表示装置（１）は、受信チャ
ンネルの通常の切替条件が成立すると、次の受信候補であるチャンネルへの切り替えを、
テレビ放送受信機に対して指示する通常切替手段を備え、一つの画面上に、複数のチャン
ネルの映像が表示されている場合に、受信チャンネルの順次切り替えを実現するマルチチ
ャンネル表示装置において、受信チャンネルの信号の受信状態が不良である場合、次の受
信候補であるチャンネルへの切り替えを、前記テレビ放送受信機に対して指示する強制切
替手段を備えていることを特徴としている。
【００１７】
上記マルチチャンネル表示装置（１）によれば、受信チャンネルの通常の切替条件が成
立する（例えば、受信時間が２０秒経過する）と、次の受信候補であるチャンネルへの切
り替えが、前記テレビ放送受信機に対して指示され、一つの画面上に、複数のチャンネル
の映像が表示されている場合に、受信チャンネルの順次切り替えが実現される。
【００１８】
また、受信チャンネルの信号の受信状態が不良である場合（例えば、受信電界強度が所
定値以下である場合）、次の受信候補であるチャンネルへの切り替えが、前記テレビ放送
受信機に対して指示される。すなわち、受信チャンネルの信号の受信状態が不良である場
合、前記通常の切替条件が成立していなくても、強制的に受信チャンネルが切り替えられ
ることになる。これにより、ノイズ画像しか受信できないチャンネルを受信し続けないよ
うにすることができる。また、スピーカからノイズ音が出力されるのを防止することがで
きる。よって、使用者に与える不快感を軽減することができる。
【００１９】
また、本発明に係るマルチチャンネル表示装置（２）は、受信チャンネルの通常の切替
条件が成立すると、次の受信候補であるチャンネルへの切り替えを、テレビ放送受信機に
対して指示する通常切替手段を備え、一つの画面上に、複数のチャンネルの映像が表示さ
れている場合に、受信チャンネルの順次切り替えを実現するマルチチャンネル表示装置に
おいて、受信状態が良好でないか否か、又は受信の不良状態が継続しているか否かを判断
する受信状態判断手段と、該受信状態判断手段による判断結果に基づいて、受信状態が良
好でない、又は受信の不良状態が継続しているチャンネルを受信候補から外す候補除外手
段とを備えていることを特徴としている。
【００２０】
上記マルチチャンネル表示装置（２）によれば、受信チャンネルの通常の切替条件が成
立する（例えば、受信時間が２０秒経過する）と、次の受信候補であるチャンネルへの切
り替えが、前記テレビ放送受信機に対して指示され、一つの画面上に、複数のチャンネル
の映像が表示されている場合に、受信チャンネルの順次切り替えが実現される。
【００２１】
また、受信状態が良好でない、又は受信の不良状態が継続しているチャンネル（例えば
、受信電界強度が所定値以下であることが継続しているチャンネル）が受信候補から外さ
れる。これにより、ノイズ画像しか受信できないチャンネルを受信しないようにすること
ができる。また、スピーカからノイズ音が出力されるのを防止することができる。よって
、使用者に与える不快感を軽減することができる。
【００２２】
また、本発明に係るマルチチャンネル表示装置（３）は、上記マルチチャンネル表示装
置（１）において、受信状態が良好でないか否か、又は受信の不良状態が継続しているか
否かを判断する受信状態判断手段と、該受信状態判断手段による判断結果に基づいて、受
信状態が良好でない、又は受信の不良状態が継続しているチャンネルを受信候補から外す
候補除外手段とを備えていることを特徴としている。
【００２３】
上記マルチチャンネル表示装置（３）によれば、受信状態が良好でない、又は受信の不
良状態が継続しているチャンネル（例えば、受信電界強度が所定値以下であることが継続
しているチャンネル）が受信候補から外される。これにより、ノイズ画像しか受信できな
いチャンネルを受信しないようにすることができる。また、スピーカからノイズ音が出力
されるのを防止することができる。よって、使用者に与える不快感をより一層軽減するこ
とができる。
【００２４】
また、本発明に係るマルチチャンネル表示装置（４）は、上記マルチチャンネル表示装
置（３）において、前記不良継続判断手段が、前記強制切替手段による受信の強制中止が
所定の頻度以上発生している場合、該当するチャンネルの受信状態が良好でない、又は受
信の不良状態が継続していると判断するものであることを特徴としている。
【００２５】
上記マルチチャンネル表示装置（４）によれば、受信状態が良好でないか否か、又は受
信の不良状態が継続しているか否かの判断に、強制的な受信チャンネルの切り替え頻度が
用いられる。従って、前記判断の要する処理の負荷を軽減することができる。
【００２６】
また、本発明に係るマルチチャンネル表示装置（５）は、上記マルチチャンネル表示装
置（２）〜（４）のいずれかにおいて、前記候補除外手段により、受信状態が良好でない
、又は受信の不良状態が継続しているチャンネルが受信候補から外された場合、受信候補
から外されたチャンネルを受信する代わりに、所定の処理を行う第１の処理手段と、前記
受信候補から外されたチャンネルの映像の代わりに、前記所定の処理を行うことによって
得られる画像を前記画面上に表示する第１の代行表示手段とを備えていることを特徴とし
ている。
【００２７】
上記マルチチャンネル表示装置（５）によれば、受信状態が良好でないチャンネル、又
は受信の不良状態が継続しているチャンネルが受信候補から外された場合（例えば、４ｃ
ｈが受信候補から外された場合）、受信候補から外されたチャンネル（例えば、４ｃｈ）
を受信する代わりに、前記所定の処理（例えば、受信状態の良好な別のチャンネルの受信
）が行われ、前記受信候補から外されたチャンネルの映像（例えば、４ｃｈの映像、すな
わちノイズ画像）の代わりに、前記所定の処理を行うことによって得られる画像（例えば
、受信状態の良好な２４ｃｈの映像）が前記画面上に表示される。
これにより、ノイズ画像しか受信できないチャンネルを受信しないようにするだけでな
く、その代わりに別の画像を前記画面上に表示することができる。よって、使用者に不快
感を与えないようにすることができる。
【００２８】
また、本発明に係るマルチチャンネル表示装置（６）は、上記マルチチャンネル表示装
置（５）において、前記所定の処理が、受信候補から外されたチャンネルの代わりに受信
状態の良好な別のチャンネルを受信する第１の処理、映像再生装置を再生する第２の処理
、ラジオ放送を受信する第３の処理、及び音声再生装置を再生する第４の処理のいずれか
であることを特徴としている。
【００２９】
上記マルチチャンネル表示装置（６）によれば、受信候補から外されたチャンネルを受
信する代わりに行う前記所定の処理が、受信候補から外されたチャンネルの代わりに受信
状態の良好な別のチャンネルを受信する前記第１の処理、映像再生装置（例えば、ＤＶＤ
−Ｖｉｄｅｏ再生装置やＶＴＲ再生装置）を再生する前記第２の処理、ラジオ放送を受信
する前記第３の処理、及び音声再生装置（例えば、ＣＤ再生装置やＭＤ再生装置）を再生
する前記第４の処理のいずれかである。
【００３０】
前記第１の処理が行われると、受信状態の良好な別のチャンネルの映像が前記画面上に
表示される。受信候補が変更となるだけで、前記画面上に表示されるチャンネルの映像の
数を減らさないようにすることができる。
前記第２の処理が行われると、映像再生装置が再生され、ＤＶＤ−Ｖｉｄｅｏなどに記
録されている映像が前記画面上に表示される。これは、受信状態の良好な別のチャンネル
が存在しない場合などに有効となる。
【００３１】
前記第３の処理が行われると、ラジオ放送が受信され、ラジオ放送局から送信される音
楽などがスピーカから出力され、また、受信している放送局に関する情報（例えば、周波
数や放送局名）が前記画面上に表示される。これは、受信状態の良好な別のチャンネルが
存在しない場合はもちろん、ＤＶＤ−Ｖｉｄｅｏ再生装置などの比較的高価な装置が装備
されていない場合や、装備されていたとしてもＤＶＤ−Ｖｉｄｅｏがセットされていない
場合などに有効となる。
【００３２】
前記第４の処理が行われると、音声再生装置が再生され、ＣＤなどに記録されている音
楽が演奏され、また、演奏状況（例えば、演奏時間）が前記画面上に表示される。上記と
同様に、これは、受信状態の良好な別のチャンネルが存在しない場合はもちろん、ＤＶＤ
−Ｖｉｄｅｏ再生装置などの比較的高価な装置が装備されていない場合や、装備されてい
たとしてもＤＶＤ−Ｖｉｄｅｏがセットされていない場合などに有効となる。
【００３３】
また、本発明に係るマルチチャンネル表示装置（７）は、上記マルチチャンネル表示装
置（５）において、前記所定の処理が、受信候補から外されたチャンネルの代わりに受信
状態の良好な別のチャンネルを受信する第１の処理、又は該第１の処理とは別の処理であ
り、受信状態の良好な別のチャンネルが存在しない場合、前記第１の処理手段が、前記所
定の処理として、前記別の処理を行うものであることを特徴としている。
【００３４】
上記マルチチャンネル表示装置（７）によれば、受信状態の良好な別のチャンネルが存
在する場合、前記第１の処理が行われ、受信候補から外されたチャンネルの代わりに受信
状態の良好な別のチャンネルの映像が前記画面上に表示されることになる。
一方、受信状態の良好な別のチャンネルが存在しない場合、前記第１の処理とは別の処
理が行われる。従って、可能な限り、前記画面上に表示されるチャンネルの映像の数を減
らさないようにすることができる。
【００３５】
また、本発明に係るマルチチャンネル表示装置（８）は、上記マルチチャンネル表示装
置（７）において、前記別の処理が、映像再生装置を再生する第２の処理、ラジオ放送を
受信する第３の処理、及び音声再生装置を再生する第４の処理のいずれかであることを特
徴としている。
【００３６】
上記マルチチャンネル表示装置（８）によれば、受信状態の良好な別のチャンネルが存
在しない場合に行われる前記所定の処理が、映像再生装置（例えば、ＤＶＤ−Ｖｉｄｅｏ
再生装置やＶＴＲ再生装置）を再生する前記第２の処理、ラジオ放送を受信する前記第３
の処理、及び音声再生装置（例えば、ＣＤ再生装置やＭＤ再生装置）を再生する前記第４
の処理のいずれかである。
【００３７】
前記第２の処理が行われると、映像再生装置が再生され、ＤＶＤ−Ｖｉｄｅｏなどに記
録されている映像が前記画面上に表示される。従って、別のチャンネルの映像ではないが
、映画などの映像を表示することができる。
【００３８】
前記第３の処理が行われると、ラジオ放送が受信され、ラジオ放送局から送信される音
楽などがスピーカから出力され、また、受信している放送局に関する情報（例えば、周波
数や放送局名）が前記画面上に表示される。これは、ＤＶＤ−Ｖｉｄｅｏ再生装置などの
比較的高価な装置が装備されていない場合や、装備されていたとしてもＤＶＤ−Ｖｉｄｅ
ｏがセットされていない場合などに有効となる。
【００３９】
前記第４の処理が行われると、音声再生装置が再生され、ＣＤなどに記録されている音
楽が演奏され、また、演奏状況（例えば、演奏時間）が前記画面上に表示される。上記と
同様に、これは、ＤＶＤ−Ｖｉｄｅｏ再生装置などの比較的高価な装置が装備されていな
い場合や、装備されていたとしてもＤＶＤ−Ｖｉｄｅｏがセットされていない場合などに
有効となる。
【００４０】
また、本発明に係るマルチチャンネル表示装置（９）は、上記マルチチャンネル表示装
置（７）又は（８）において、前記別の処理が行われている場合に、受信候補でないチャ
ンネルのうち、受信状態の良好なものが存在するか否かを判断する良好有無判断手段と、
該良好有無判断手段により受信状態の良好なチャンネルが存在すると判断された場合、前
記別の処理の代わりに、該当するチャンネルを受信する第２の処理手段とを備えているこ
とを特徴としている。
【００４１】
上記マルチチャンネル表示装置（９）によれば、前記別の処理が行われている場合に、
受信候補でないチャンネルのうち、受信状態の良好なものが存在すると判断された場合、
前記別の処理の代わりに、該当するチャンネルが受信される。従って、前記画面上に表示
されるチャンネルの映像の数を増やすことができる。
【００４２】
また、本発明に係るマルチチャンネル表示装置（１０）は、上記マルチチャンネル表示
装置（５）〜（９）のいずれかにおいて、前記所定の処理の実行可否を判断する実行可否
判断手段と、該実行可否判断手段により前記所定の処理の実行ができないと判断された場
合、前記受信候補から外されたチャンネルの映像の代わりに、所定の画像を前記画面上に
表示する第２の代行表示手段とを備えていることを特徴としている。
【００４３】
上記マルチチャンネル表示装置（１０）によれば、前記所定の処理の実行ができないと
判断された場合（すなわち、前記所定の処理を行うことによって得られる画像を前記画面
上に表示することができない場合）、前記受信候補から外されたチャンネルの映像の代わ
りに、前記所定の画像（例えば、使用者にストレスを感じさせない青一色の画像）が前記
画面上に表示される。これにより、ＤＶＤ−Ｖｉｄｅｏなどに記録されている映像などを
表示できなかったとしても、使用者にストレスを感じさせるノイズ画像ではんく、使用者
にストレスを感じさせない画像を表示させることができる。
【発明を実施するための最良の形態】
【００４４】
以下、本発明に係るマルチチャンネル表示装置の実施の形態を図面に基づいて説明する
。図１は、実施の形態（１）に係るマルチチャンネル表示装置の要部を概略的に示したブ
ロック図である。但し、図１８に示したマルチチャンネル表示装置と同様の構成部分につ
いては同符号を付し、ここではその説明を省略する。
【００４５】
マルチチャンネル表示装置１１はテレビ放送受信機２と、表示部４と、音声出力部５と
、マイコンを含んで構成される制御部１７とを含んで構成されている。テレビ放送受信機
２は、制御部１７からのチャンネル制御に基づいて、いくつかのテレビ電波の中から、受
信しようとするチャンネルの電波を選択し、増幅、検波という過程を経て、映像信号と音
声信号とを取り出すようになっている。
【００４６】
制御部１７は、所定の時間（例えば、２０秒）毎に動画を表示させる放送局を切り換え
るために、テレビ放送受信機２に対して、受信するチャンネルの切替制御を行い、また、
制御部１７は、表示部４に対して、各放送局の映像をモニタＭ上のどの位置に表示するか
を指示するようになっている。
【００４７】
また、制御部１７は、テレビ放送受信機２からテレビ放送波の受信電界強度を示したデ
ータを取得することができ、受信しているチャンネルの受信状態を判断することができる
ようになっている。また、制御部１７は、受信状態が不良であるチャンネルについては２
０秒の経過を待たずに、次の受信候補であるチャンネルへの切替制御を行うようになって
いる。図２に、受信状態が不良になった場合のチャンネル切替の一例を示す。
【００４８】
次に、上記実施の形態（１）に係るマルチチャンネル表示装置１１における制御部１７
の行う処理動作［１］を図３、図４に示したフローチャートに基づいて説明する。なお、
この処理動作［１］は、制御部１７に接続された操作部（図示せず）が使用者によって操
作されることによって、マルチチャンネル表示が指示された場合に行われる動作である。
【００４９】
まず、カウントｎを１にし（ステップＳ１１）、次に、予め設定されたＸｎに対応する
チャンネルを受信するように、テレビ放送受信機２に対して受信するチャンネルを指示す
る（ステップＳ１２）。図２０に、予め設定されたＸｎとチャンネルとの関係の一例を示
す。ここでは、Ｘ１に対応するチャンネルは２ｃｈとなり、Ｘ２に対応するチャンネルは
４ｃｈとなっている。
【００５０】
次に、テレビ放送受信機２から表示部４へ送信される映像信号による映像を、例えば、
モニタＭ上のフレームＦ１〜Ｆ８（図２参照）のうち、フレームＦｎに表示するように表
示部４に対して表示を制御し（ステップＳ１３）、その後、表示時間を計測するためのタ
イマｔを０にしてスタートさせ（ステップＳ１４）、そして、受信しているチャンネルの
受信状態を確認するための処理を行う（ステップＳ１５、図４参照）。
【００５１】
図４のステップＳ１５Ａでは、テレビ放送受信機２から送られてくる受信電界強度を示
したデータを取得し、取得したデータに基づいて、受信電界強度が所定値以上であるか否
かを判断する（ステップＳ１５Ｂ）。受信電界強度が前記所定値以上である（すなわち、
受信状態は良好である）と判断すれば、現在受信しているチャンネルの受信状態の良否を
示すための良否フラグｆを０にし（ステップＳ１５Ｃ）、そしてステップＳ１６（図３）
へ進む。一方、受信電界強度が前記所定値以上でない（すなわち、受信状態は良好でない
）と判断すれば、良否フラグｆを１にし（ステップＳ１５Ｄ）、そしてステップＳ１６（
図３）へ進む。
【００５２】
なお、ここでは受信電界強度に基づいて、チャンネルの受信状態の良否を判断するよう
になっているが、チャンネルの受信状態の判断はこれに限定されず、別の実施の形態では
、テレビ放送波の映像信号の良否（例えば、同期信号が検出されているか否かを判断する
）や、テレビ放送波の音声信号の良否、テレビ放送波に重畳されるデータ信号の良否など
に基づいて判断するようにしても良い。また、判断要素は一つに限定する必要はなく、複
数の判断要素を組み合わせて用いるようにしても良い。
【００５３】
図３のステップＳ１６では、良否フラグｆが０であるか否かを判断し、良否フラグｆが
０である（すなわち、受信状態は良好である）と判断すれば、次に、タイマｔが所定の時
間ｔ’（例えば、２０秒）以上になったか否かを判断する（ステップＳ１７）。タイマｔ
が所定の時間ｔ’以上になったと判断すれば、カウントｎに１を加算し（ステップＳ１８
）、１を加算したカウントｎが８より大きいか否か（すなわち、Ｘ８に対応する１６ｃｈ
まで一通り受信したか否か）を判断する（ステップＳ１９）。
【００５４】
カウントｎが８より大きいと判断すれば、ステップＳ１１へ戻って、カウントｎを１に
戻し、そしてステップＳ１２以降の処理を行う。一方、カウントｎが８より大きくはない
と判断すれば、カウントｎを１に戻す必要はなく、そのままステップＳ１２以降の処理を
行う。これにより、一つのモニタＭ上に８チャンネル分の映像を表示することができ、ま
た、動画を表示するチャンネルの映像を、所定の時間毎に順次切り換えていくことができ
る。
【００５５】
他方、ステップＳ１６において、良否フラグｆが０でない（すなわち、受信状態は良好
ではなく、そのためフレームＦｎにはノイズ画像が表示され、スピーカ６からはノイズ音
声が出力されている）と判断すれば、２０秒の経過を待たずに（ステップＳ１７を飛ばし
て）、カウントｎに１を加算する処理を行う（ステップＳ１８）。これにより、受信する
チャンネルの切り替えが瞬時に行われる。
【００５６】
上記実施の形態（１）に係るマルチチャンネル表示装置によれば、受信チャンネルの信
号の受信状態が不良である場合（例えば、受信電界強度が所定値以下である場合）、次の
受信候補であるチャンネルへの切り替えが、テレビ放送受信機２に対して指示される。す
なわち、受信チャンネルの信号の受信状態が不良である場合、通常の切替条件（２０秒の
経過）が成立していなくても、強制的に受信チャンネルが切り替えられることになる。こ
れにより、ノイズ画像しか受信できないチャンネルを受信し続けないようにすることがで
きる。また、スピーカ６からノイズ音が出力されるのを防止することができる。よって、
使用者に与える不快感を軽減することができる。
【００５７】
次に、実施の形態（２）に係るマルチチャンネル表示装置について説明する。但し、実
施の形態（２）に係るマルチチャンネル表示装置１１Ａは、制御部を除き、図１に示した
マルチチャンネル表示装置１１と同様の構成をしているため、制御部１７には異なる符号
を付し、その他の説明をここでは省略する。
【００５８】
制御部１７Ａは、所定の時間（例えば、２０秒）毎に動画を表示させる放送局を切り換
えるために、テレビ放送受信機２に対して、受信するチャンネルの切替制御を行い、また
、制御部１７Ａは、表示部４に対して、各放送局の映像をモニタＭ上のどの位置に表示す
るかを指示するようになっている。
【００５９】
また、制御部１７Ａは、テレビ放送受信機２からテレビ放送波の受信電界強度を示した
データを取得することができ、受信しているチャンネルの受信状態を判断することができ
るようになっている。また、制御部１７Ａは、受信状態が不良であるチャンネルについて
は、受信状態の良好である（受信候補に含まれていない）別のチャンネルへの切替制御を
行うようになっている。図５に、受信状態が不良になった場合のチャンネル切替の一例を
示す。
【００６０】
次に、上記実施の形態（２）に係るマルチチャンネル表示装置１１Ａにおける制御部１
７Ａの行う処理動作［２］を図６〜図８に示したフローチャートに基づいて説明する。な
お、この処理動作［２］は、制御部１７Ａに接続された操作部（図示せず）が使用者によ
って操作されることによって、マルチチャンネル表示が指示された場合に行われる動作で
ある。
【００６１】
まず、カウントｎを１にし（ステップＳ２１）、次に、Ｘｎが１ｃｈ〜６２ｃｈに対応
しているか否か（すなわち、テレビ放送のチャンネルに対応しているか否か）を判断する
（ステップＳ２２）。Ｘｎが１ｃｈ〜６２ｃｈに対応していると判断すれば、次に、受信
候補となっているチャンネル（例えば、２ｃｈ、４ｃｈ、６ｃｈ、８ｃｈ、１０ｃｈ、１
２ｃｈ、１４ｃｈ、１６ｃｈ）以外で受信状態の良好なチャンネルを検索する（ステップ
Ｓ２３）。例えば、数チャンネル分の検索を５００ミリ秒程度（使用者に違和感を抱かせ
ない程度の時間）で行うようにする。
【００６２】
なお、別の実施の形態では、地域毎に受信可能なチャンネル情報を用意し、また、位置
情報の取得が可能なＧＰＳ受信機などを制御部１７Ａへ接続させるようにし、ＧＰＳ受信
機から得られる位置情報に基づいて、現在地周辺で受信可能なチャンネルを求め、前記検
索対象となるチャンネルの絞り込みを行うようにしても良い。これにより、検索効率を大
幅に向上させることができる。
【００６３】
次に、予め設定されたＸｎに対応するチャンネルを受信するように、テレビ放送受信機
２に対して受信するチャンネルを指示する（ステップＳ２４）。図２０に、予め設定され
たＸｎとチャンネルとの関係の一例を示す。ここでは、Ｘ１に対応するチャンネルは２ｃ
ｈとなり、Ｘ２に対応するチャンネルは４ｃｈとなっている。
【００６４】
次に、テレビ放送受信機２から表示部４へ送信される映像信号による映像を、例えば、
モニタＭ上のフレームＦ１〜Ｆ８（図５参照）のうち、フレームＦｎに表示するように表
示部４に対して表示を制御し（ステップＳ２５）、その後、表示時間を計測するためのタ
イマｔを０にしてスタートさせ（ステップＳ２６）、そして、チャンネルの受信状態を確
認するための処理を行う（ステップＳ２７、図４参照）。その処理後、現在受信している
チャンネルの受信状態の良否を示すための良否フラグｆが０であるか否かを判断する（ス
テップＳ２８）。
【００６５】
良否フラグｆが０である（すなわち、受信状態は良好である）と判断すれば、次に、タ
イマｔが所定の時間ｔ’（例えば、２０秒）以上になったか否かを判断する（ステップＳ
２９）。タイマｔが所定の時間ｔ’以上になったと判断すれば、カウントｎに１を加算し
（ステップＳ３０）、１を加算したカウントｎが８より大きいか否か（例えば、Ｘ８に対
応する１６ｃｈまで一通り受信したか否か）を判断する（ステップＳ３１）。
【００６６】
カウントｎが８より大きいと判断すれば、ステップＳ２１へ戻って、カウントｎを１に
戻し、そしてステップＳ２２以降の処理を行う。一方、カウントｎが８より大きくはない
と判断すれば、カウントｎを１に戻す必要はないので、そのままステップＳ２２以降の処
理を行う。これにより、一つのモニタＭ上に８チャンネル分の映像を表示することができ
、また、動画を表示するチャンネルの映像を、所定の時間毎に順次切り換えていくことが
できる。
【００６７】
他方、ステップＳ２８において、良否フラグｆが０でない（すなわち、受信状態は良好
ではなく、そのためフレームＦｎにはノイズ画像が表示され、スピーカ６からはノイズ音
声が出力されている）と判断すれば、図７のステップＳ４１へ進んで、チャンネルの切替
処理等を行う。
【００６８】
ステップＳ４１では、ステップＳ２３（図６）での検索結果に基づいて、受信良好な別
のチャンネルが存在するか否かを判断する。受信良好な別のチャンネルが存在すると判断
すれば、次に、Ｘｎに対応するチャンネルを前記別のチャンネルへ切り替え（ステップＳ
４２）、その後、ステップＳ２２（図６）へ進む。
【００６９】
例えば、図５（ｂ）に示したように、フレームＦ２に４ｃｈの映像が表示されている場
合（すなわち、Ｘ２に対応するチャンネルが４ｃｈである場合）に、４ｃｈの受信状態が
低下すると、Ｘ２に対応するチャンネルは、受信状態の良好な別のチャンネル（例えば、
２４ｃｈ）に切り替えられ、図５（ｃ）に示したように、フレームＦ２には２４ｃｈの映
像が表示されるようになる。なお、受信状態の良好な別のチャンネルが複数存在する場合
には、受信状態の良好度の高いものを優先するようにしても良い。
【００７０】
他方、ステップＳ４１において、受信良好な別のチャンネルが存在しないと判断すれば
、次に、使用者にストレスを感じさせないブルーバック（青一色の画像）をフレームＦｎ
に表示するように表示部２を制御し（ステップＳ４３）、その後、Ｘｎに対応するチャン
ネルを、フレームＦｎにブルーバックが表示されていることを示す７１ｃｈにし（ステッ
プＳ４４）、その後、ステップＳ３０（図６）へ進む。
【００７１】
また、図６のステップＳ２２において、Ｘｎが１ｃｈ〜６２ｃｈのいずれにも対応して
いない（すなわち、７１ｃｈに対応している）と判断すれば、フレームＦｎにはブルーバ
ックが表示されていることになるので、図８のステップＳ５１へ進んで、チャンネルの切
替処理等を行う。
【００７２】
ステップＳ５１では、ステップＳ２３（図６）での検索結果に基づいて、受信良好な別
のチャンネルが存在するか否かを判断する。受信良好な別のチャンネルが存在すると判断
すれば、次に、Ｘｎに対応するチャンネルを前記別のチャンネルへ切り替え（ステップＳ
５２）、その後、ステップＳ２４（図６）へ進む。一方、受信良好な別のチャンネルが存
在しないと判断すれば、そのままステップＳ３０（図６）へ進む。
【００７３】
上記実施の形態（２）に係るマルチチャンネル表示装置によれば、受信状態が良好でな
いチャンネル（例えば、受信電界強度が所定値以下であるチャンネル）が受信候補から外
される。これにより、ノイズ画像しか受信できないチャンネルを受信しないようにするこ
とができる。また、スピーカ６からノイズ音が出力されるのを防止することができる。よ
って、使用者に与える不快感を軽減することができる。
【００７４】
次に、実施の形態（３）に係るマルチチャンネル表示装置について説明する。但し、実
施の形態（３）に係るマルチチャンネル表示装置１１Ｂは、制御部を除き、図１に示した
マルチチャンネル表示装置１１と同様の構成をしているため、制御部１７には異なる符号
を付し、その他の説明をここでは省略する。
【００７５】
制御部１７Ｂは、所定の時間（例えば、２０秒）毎に動画を表示させる放送局を切り換
えるために、テレビ放送受信機２に対して、受信するチャンネルの切替制御を行い、また
、制御部１７Ｂは、表示部４に対して、各放送局の映像をモニタＭ上のどの位置に表示す
るかを指示するようになっている。
【００７６】
また、制御部１７Ｂは、テレビ放送受信機２からテレビ放送波の受信電界強度を示した
データを取得することができ、受信しているチャンネルの受信状態を判断することができ
るようになっている。また、制御部１７Ｂは、受信状態が良好でないチャンネルについて
は２０秒の経過を待たずに、次の受信候補であるチャンネルへの切替制御を行うようにな
っており、また、受信の不良状態が継続しているチャンネルについては、受信状態の良好
である（受信候補に含まれていない）別のチャンネルへの切替制御を行うようになってい
る。図９に、受信状態の不良が継続している場合のチャンネル切替の一例を示す。
【００７７】
次に、上記実施の形態（３）に係るマルチチャンネル表示装置１１Ｂにおける制御部１
７Ｂの行う処理動作［３］を図１０〜図１２に示したフローチャートに基づいて説明する
。なお、この処理動作［３］は、制御部１７Ｂに接続された操作部（図示せず）が使用者
によって操作されることによって、マルチチャンネル表示が指示された場合に行われる動
作である。
【００７８】
但し、制御部１７Ｂの行う処理動作［３］は、図６〜図８に示した制御部１７Ａの行う
処理動作［２］と、ステップＳ２８（図６）で良否フラグｆが０でない（すなわち、現在
受信しているチャンネルの受信状態が良好でない）と判断してからの処理を除き、同様の
処理を行うので、ここではステップＳ６８（図１０）で、良否フラグが０でないと判断し
、図１１のステップＳ８１へ進んでからの処理についてのみ説明する。
【００７９】
まず、受信不良状態の検出回数Ｃｎに１を加算し（ステップＳ８１）、１を加算した検
出回数Ｃｎが所定の回数Ｃ’（例えば、５回）以上であるか否かを判断する（ステップＳ
８２）。検出回数Ｃｎが所定の回数Ｃ’以上である（すなわち、受信の不良状態が継続し
ている）と判断すれば、ステップＳ６３（図１０）での検索結果に基づいて、受信良好な
別のチャンネルが存在するか否かを判断する（ステップＳ８３）。
【００８０】
受信良好な別のチャンネルが存在すると判断すれば、次に、Ｘｎに対応するチャンネル
を前記別のチャンネルへ切り替え（ステップＳ８４）、その後、ステップＳ６２（図１０
）へ進む。例えば、図９（ｂ）に示したように、フレームＦ２に４ｃｈの映像が表示され
ている場合（すなわち、Ｘ２に対応するチャンネルが４ｃｈである場合）に、４ｃｈの受
信不良状態が一定期間継続すると、Ｘ２に対応するチャンネルは、受信良好な別のチャン
ネル（例えば、２４ｃｈ）に切り替えられ、図９（ｃ）に示したように、フレームＦ２に
は２４ｃｈの映像が表示されるようになる。
【００８１】
他方、ステップＳ８３において、受信良好な別のチャンネルが存在しないと判断すれば
、次に、使用者にストレスを感じさせないブルーバック（青一色の画像）をフレームＦｎ
に表示するように表示部２を制御し（ステップＳ８５）、その後、Ｘｎに対応するチャン
ネルを、フレームＦｎにブルーバックが表示されていることを示す７１ｃｈにし（ステッ
プＳ８６）、その後、ステップＳ７０（図１０）へ進む。
【００８２】
また、ステップＳ８２において、検出回数Ｃｎが所定の回数Ｃ’以上でないと判断すれ
ば、ステップＳ８３以降の処理を行う必要がないので、そのままステップＳ７０（図１０
）へ進む。なお、検出回数Ｃｎについては、図１０にステップＳ６７で受信状態が良好と
判断した場合、０に戻すのが望ましい。例えば、ステップＳ６８で、良否フラグが０であ
ると判断した後、Ｘｎに対応する検出回数Ｃｎを０にする。
【００８３】
上記実施の形態（３）に係るマルチチャンネル表示装置によれば、受信チャンネルの信
号の受信状態が不良である場合（例えば、受信電界強度が所定値以下である場合）、次の
受信候補であるチャンネルへの切り替えが、テレビ放送受信機２に対して指示される。す
なわち、受信チャンネルの信号の受信状態が不良である場合、通常の切替条件（２０秒の
経過）が成立していなくても、強制的に受信チャンネルが切り替えられることになる。こ
れにより、ノイズ画像しか受信できないチャンネルを受信し続けないようにすることがで
きる。また、スピーカ６からノイズ音が出力されるのを防止することができる。よって、
使用者に与える不快感を軽減することができる。
【００８４】
さらに、受信の不良状態が継続しているチャンネルが受信候補から外され、受信状態の
良好な別のチャンネルが受信候補とされる。これにより、ノイズ画像しか受信できないチ
ャンネルを受信しないようにすることができる。また、スピーカ６からノイズ音が出力さ
れるのを防止することができる。よって、使用者に与える不快感をより一層軽減すること
ができる。
【００８５】
図１３は、実施の形態（４）に係るマルチチャンネル表示装置の要部を概略的に示した
ブロック図である。但し、図１に示したマルチチャンネル表示装置と同様の構成部分につ
いては同符号を付し、ここではその説明を省略する。
【００８６】
マルチチャンネル表示装置２１はテレビ放送受信機２と、ＤＶＤ−Ｖｉｄｅｏの再生機
能を有したＤＶＤ再生機２２と、表示部４と、音声出力部５と、マイコンを含んで構成さ
れる制御部２７と、表示部４及び音声出力部５へ入力する信号の切り替えを行う入力切替
部２３とを含んで構成されている。
【００８７】
テレビ放送受信機２は、制御部２７からのチャンネル制御に基づいて、いくつかのテレ
ビ電波の中から、受信しようとするチャンネルの電波を選択し、増幅、検波という過程を
経て、映像信号と音声信号とを取り出すようになっている。ＤＶＤ再生機２２は、制御部
２７からの再生制御（又は停止制御）に基づいて、装填されているＤＶＤ−Ｖｉｄｅｏを
再生し、ＤＶＤ−Ｖｉｄｅｏに記録されている映像信号と音声信号とを取り出すようにな
っている。
【００８８】
制御部２７は、所定の時間（例えば、２０秒）毎に動画を表示させる放送局を切り換え
るために、テレビ放送受信機２に対して、受信するチャンネルの切替制御を行い、また、
制御部２７は、表示部４に対して、各放送局の映像をモニタＭ上のどの位置に表示するか
を指示するようになっている。
【００８９】
また、制御部２７は、テレビ放送受信機２からテレビ放送波の受信電界強度を示したデ
ータを取得することができ、受信しているチャンネルの受信状態を判断することができる
ようになっている。また、制御部２７は、受信状態が不良であるチャンネルについては、
受信状態の良好である（受信候補に含まれていない）別のチャンネルへの切替制御を行っ
たり、受信状態の良好な別のチャンネルが存在しない場合には、ＤＶＤ−Ｖｉｄｅｏを再
生させるようになっている。
【００９０】
次に、上記実施の形態（４）に係るマルチチャンネル表示装置２１における制御部２７
の行う処理動作［４］を図１４〜図１６に示したフローチャートに基づいて説明する。な
お、この処理動作［４］は、制御部２７に接続された操作部（図示せず）が使用者によっ
て操作されることによって、マルチチャンネル表示が指示された場合に行われる動作であ
る。
【００９１】
但し、制御部２７の行う処理動作［４］は、図６〜図８に示した制御部１７Ａの行う処
理動作［２］と、ステップＳ２８（図６）で良否フラグｆが０でない（すなわち、現在受
信しているチャンネルの受信状態が良好でない）と判断してからの処理、及びステップＳ
２２（図６）で、Ｘｎが１ｃｈ〜６２ｃｈに対応していない（すなわち、テレビ放送のチ
ャンネルに対応していない）と判断してからの処理を除き、同様の処理を行うので、ここ
ではステップＳ１０８（図１４）で、良否フラグが０でないと判断し、図１５のステップ
Ｓ１１１へ進んでからの処理、及びステップＳ１０２（図１４）で、Ｘｎが１ｃｈ〜６２
ｃｈに対応していないと判断し、図１６のステップＳ１４１へ進んでからの処理について
のみ説明する。
【００９２】
図１４のステップＳ１０８で、良否フラグが０でない（すなわち、現在受信しているチ
ャンネルの受信状態が良好でない）と判断すれば、次に、ステップＳ１０３（図１４）で
の検索結果に基づいて、受信良好な別のチャンネルが存在するか否かを判断する（図１５
のステップＳ１２１）。受信良好な別のチャンネルが存在すると判断すれば、次に、Ｘｎ
に対応するチャンネルを前記別のチャンネルへ切り替え（ステップＳ１２２）、その後、
ステップＳ１０２（図１４）へ進む。
【００９３】
例えば、図５（ｂ）に示したように、フレームＦ２に４ｃｈの映像が表示されている場
合（すなわち、Ｘ２に対応するチャンネルが４ｃｈである場合）に、４ｃｈの受信状態が
低下すると、Ｘ２に対応するチャンネルは、受信良好な別のチャンネル（例えば、２４ｃ
ｈ）に切り替えられ、図５（ｃ）に示したように、フレームＦ２には２４ｃｈの映像が表
示されるようになる。
【００９４】
他方、ステップＳ１２１において、受信良好な別のチャンネルが存在しないと判断すれ
ば、次に、ＤＶＤ再生機２２に装填されているＤＶＤ−Ｖｉｄｅｏの再生が可能であるか
否かを判断する（ステップＳ１２３）。ＤＶＤ−Ｖｉｄｅｏの再生が可能でない場合とい
うのは、例えば、フレームＦｎ以外のフレームＦ１〜Ｆ８で既にＤＶＤ映像が表示されて
いる場合や、ＤＶＤ再生機２２にＤＶＤ−Ｖｉｄｅｏが装填されていない場合などが挙げ
られる。
【００９５】
ＤＶＤ−Ｖｉｄｅｏの再生が可能であると判断すれば、ＤＶＤ−Ｖｉｄｅｏを再生する
ことによって得られる映像をフレームＦｎに表示させるように、表示部４を制御し（ステ
ップＳ１２４）、その後、Ｘｎに対応するチャンネルを、フレームＦｎにＤＶＤ映像が表
示されていることを示す８１ｃｈにする（ステップＳ１２５）。
【００９６】
次に、ＤＶＤ−Ｖｉｄｅｏを再生させるように、ＤＶＤ再生機２２を制御し（ステップ
Ｓ１２６）、その後、表示時間を計測するためのタイマｔを０にしてスタートさせる（ス
テップＳ１２７）。なお、この時、表示部４にはテレビ放送受信機２からではなく、ＤＶ
Ｄ再生機２２から送られてくる映像信号が入力されるように、また、音声出力部５にもテ
レビ放送受信機２からではなく、ＤＶＤ再生機２２から送られてくる音声信号が入力され
るように、入力切替部２３を制御する。
【００９７】
その後、タイマｔが所定の時間ｔ’（例えば、２０秒）以上になったか否かを判断する
（ステップＳ１２８）。タイマｔが所定の時間ｔ’以上になったと判断すれば、次に、Ｄ
ＶＤ−Ｖｉｄｅｏの再生を停止させるように、ＤＶＤ再生機２２を制御し（ステップＳ１
２９）、その後、ステップＳ１１０（図１４）へ進む。なお、この時、表示部４にはＤＶ
Ｄ再生機２２からではなく、テレビ放送受信機２から送られてくる映像信号が入力される
ように、また、音声出力部５にもＤＶＤ再生機２２からではなく、テレビ放送受信機２か
ら送られてくる音声信号が入力されるように、入力切替部２３を制御する。
【００９８】
また、ステップＳ１２３において、ＤＶＤ−Ｖｉｄｅｏの再生が可能でないと判断すれ
ば、使用者にストレスを感じさせないブルーバック（青一色の画像）をフレームＦｎに表
示するように表示部２を制御し（ステップＳ１３０）、その後、Ｘｎに対応するチャンネ
ルを、フレームＦｎにブルーバックが表示されていることを示す７１ｃｈにし（ステップ
Ｓ１３１）、その後、ステップＳ１１０（図１４）へ進む。
【００９９】
図１４のステップＳ１０２で、Ｘｎが１ｃｈ〜６２ｃｈに対応していないと判断すれば
、まず、ステップＳ１０３（図１４）での検索結果に基づいて、受信良好な別のチャンネ
ルが存在するか否かを判断する（図１６のステップＳ１４１）。受信良好な別のチャンネ
ルが存在すると判断すれば、次に、Ｘｎに対応するチャンネルを前記別のチャンネルへ切
り替え（ステップＳ１４２）、その後、ステップＳ１０４（図１４）へ進む。
【０１００】
一方、受信良好な別のチャンネルが存在しないと判断すれば、Ｘｎに対応するチャンネ
ルが８１ｃｈであるか否か（すなわち、フレームＦｎにＤＶＤ映像が表示されているか否
か）を判断する（ステップＳ１４３）。Ｘｎに対応するチャンネルが８１ｃｈであると判
断すれば、ＤＶＤ−Ｖｉｄｅｏを再生することによって得られる映像をフレームＦｎに表
示させるように、表示部４を制御する（ステップＳ１４４）。
【０１０１】
次に、ＤＶＤ−Ｖｉｄｅｏを再生させるように、ＤＶＤ再生機２２を制御し（ステップ
Ｓ１４５）、その後、表示時間を計測するためのタイマｔを０にしてスタートさせる（ス
テップＳ１４６）。なお、この時、表示部４にはテレビ放送受信機２からではなく、ＤＶ
Ｄ再生機２２から送られてくる映像信号が入力されるように、また、音声出力部５にもテ
レビ放送受信機２からではなく、ＤＶＤ再生機２２から送られてくる音声信号が入力され
るように、入力切替部２３を制御する。
【０１０２】
その後、タイマｔが所定の時間ｔ’（例えば、２０秒）以上になったか否かを判断する
（ステップＳ１４７）。タイマｔが所定の時間ｔ’以上になったと判断すれば、次に、Ｄ
ＶＤ−Ｖｉｄｅｏの再生を停止させるように、ＤＶＤ再生機２２を制御し（ステップＳ１
４８）、その後、ステップＳ１１０（図１４）へ進む。なお、この時、表示部４にはＤＶ
Ｄ再生機２２からではなく、テレビ放送受信機２から送られてくる映像信号が入力される
ように、また、音声出力部５にもＤＶＤ再生機２２からではなく、テレビ放送受信機２か
ら送られてくる音声信号が入力されるように、入力切替部２３を制御する。
また、ステップＳ１４３において、Ｘｎに対応するチャンネルが８１ｃｈでない（すな
わち、Ｘｎに対応するチャンネルは７１ｃｈであり、フレームＦｎにはブルーバックが表
示されている）と判断すれば、そのままステップＳ１１０（図１４）へ進む。
【０１０３】
上記実施の形態（４）に係るマルチチャンネル表示装置によれば、受信チャンネルの信
号の受信状態が不良である場合（例えば、受信電界強度が所定値以下である場合）、次の
受信候補であるチャンネルへの切り替えが、テレビ放送受信機２に対して指示される。す
なわち、受信チャンネルの信号の受信状態が不良である場合、通常の切替条件（２０秒の
経過）が成立していなくても、強制的に受信チャンネルが切り替えられることになる。こ
れにより、ノイズ画像しか受信できないチャンネルを受信し続けないようにすることがで
きる。また、スピーカ６からノイズ音が出力されるのを防止することができる。よって、
使用者に与える不快感を軽減することができる。
【０１０４】
さらに、受信の不良状態が継続しているチャンネルが受信候補から外され、受信状態の
良好な別のチャンネルが受信候補とされる。これにより、ノイズ画像しか受信できないチ
ャンネルを受信しないようにすることができる。また、スピーカ６からノイズ音が出力さ
れるのを防止することができる。よって、使用者に与える不快感をより一層軽減すること
ができる。また、受信状態の良好な別のチャンネルが存在しない場合には、ＤＶＤ映像な
どを表示することができるので、使用者にとって非常に満足度の高いマルチチャンネル表
示を実現することができる。
【０１０５】
なお、ここでは、テレビ映像以外にＤＶＤ−Ｖｉｄｅｏを再生することによって得られ
る映像を表示する場合について説明しているが、テレビ映像以外に表示させる映像として
は、ＤＶＤ−Ｖｉｄｅｏを再生することによって得られる映像に限定されず、別の実施の
形態では、ＶＴＲテープなどを再生させることによって得られる映像などであっても良い
。
【０１０６】
また、テレビ映像の代わりに、使用者へ提供するものとしては、音楽などの音声を主と
したものであっても良く、さらに別の実施の形態では、ラジオ放送や、ＣＤ、ＭＤなどを
再生することによって流れる音楽などであっても良い。また、この時、受信しているラジ
オ放送局に関する情報（例えば、周波数や放送局名）や、ＣＤの演奏状況（例えば、演奏
時間）などを対応するフレームに表示させるようにしても良い。また、ラジオ放送につい
ては、受信状態の良いチャンネルを予め検索しておくことが望ましい。これにより、万一
、テレビ放送の全てのチャンネルの受信状態が良好でなかったとしても、モニタＭ上には
各種様々な映像を表示させることができる。
【図面の簡単な説明】
【０１０７】
【図１】本発明の実施の形態（１）に係るマルチチャンネル表示装置の要部を概略的に示したブロック図である。
【図２】受信状態が不良になった場合のチャンネル切替の一例を示した図である。
【図３】実施の形態（１）に係るマルチチャンネル表示装置における制御部の行う処理動作を示したフローチャートである。
【図４】実施の形態（１）に係るマルチチャンネル表示装置における制御部の行う処理動作を示したフローチャートである。
【図５】受信状態が不良になった場合のチャンネル切替の一例を示した図である。
【図６】実施の形態（２）に係るマルチチャンネル表示装置における制御部の行う処理動作を示したフローチャートである。
【図７】実施の形態（２）に係るマルチチャンネル表示装置における制御部の行う処理動作を示したフローチャートである。
【図８】実施の形態（２）に係るマルチチャンネル表示装置における制御部の行う処理動作を示したフローチャートである。
【図９】受信状態が不良になった場合のチャンネル切替の一例を示した図である。
【図１０】実施の形態（３）に係るマルチチャンネル表示装置における制御部の行う処理動作を示したフローチャートである。
【図１１】実施の形態（３）に係るマルチチャンネル表示装置における制御部の行う処理動作を示したフローチャートである。
【図１２】実施の形態（３）に係るマルチチャンネル表示装置における制御部の行う処理動作を示したフローチャートである。
【図１３】実施の形態（４）に係るマルチチャンネル表示装置の要部を概略的に示したブロック図である。
【図１４】実施の形態（４）に係るマルチチャンネル表示装置における制御部の行う処理動作を示したフローチャートである。
【図１５】実施の形態（４）に係るマルチチャンネル表示装置における制御部の行う処理動作を示したフローチャートである。
【図１６】実施の形態（４）に係るマルチチャンネル表示装置における制御部の行う処理動作を示したフローチャートである。
【図１７】受信チャンネルの切替の一例を示した図である。
【図１８】従来のマルチチャンネル表示装置の要部を概略的に示したブロック図である。
【図１９】従来のマルチチャンネル表示装置における制御部の行う処理動作を示したフローチャートである。
【図２０】受信候補となっているチャンネルと、その切替順序との関係の一例を示した図である。
【図２１】受信チャンネルの切替の一例を示した図である。
【符号の説明】
【０１０８】
１１、１１Ａ、１１Ｂ、２１  マルチチャンネル表示装置
２  テレビ放送受信機
４  表示部
５  音声出力部
１７、１７Ａ、１７Ｂ、２７  制御部
２２  ＤＶＤ再生機
２３  入力切替部
【図１】
2005341496.tif 000003
【図２】
2005341496.tif 000004
【図３】
2005341496.tif 000005
【図４】
2005341496.tif 000006
【図５】
2005341496.tif 000007
【図６】
2005341496.tif 000008
【図７】
2005341496.tif 000009
【図８】
2005341496.tif 000010
【図９】
2005341496.tif 000011
【図１０】
2005341496.tif 000012
【図１１】
2005341496.tif 000013
【図１２】
2005341496.tif 000014
【図１３】
2005341496.tif 000015
【図１４】
2005341496.tif 000016
【図１５】
2005341496.tif 000017
【図１６】
2005341496.tif 000018
【図１７】
2005341496.tif 000019
【図１８】
2005341496.tif 000020
【図１９】
2005341496.tif 000021
【図２０】
2005341496.tif 000022
【図２１】
2005341496.tif 000023